(57)【要約】      （修正有）【課題】ブリスタパックであって包装強度が大きく、商品の包装状態で立てたときの安定性を向上させたものを提供する。【解決手段】台紙と、プラスチックシートを真空成形によって形成された窪み部１２と周縁部１３とからなり、窪み部１２にチューブ入り包装商品１７を収容し、台紙と周縁部１３とを一体にしてなるブリスタパック１０において、窪み部１２の長手方向周縁側のそれぞれに少なくとも二個の小窪み１４を窪み部１２に連続して形成したものであり、より大きい強度を必要とするときは、窪み部１２のチューブ入り包装商品のキャップ部が嵌る部分に、突き出し部１５を形成し、この縦長の突き出し部の下端に小縁部１３aを形成したものである。【選択図】図１
0003110628.tif 000002
【実用新案登録請求の範囲】
【請求項１】
台紙と、プラスチックシートを真空成形によって形成された窪み部と周縁部とからなり、上記窪み部にチューブ入り包装商品を収容し、上記台紙と上記周縁部とを一体にしてなるブリスタパックにおいて、窪み部の長手方向両縁のそれぞれに少なくとも二個の小窪みを上記窪み部に連続して形成したことを特徴とするブリスタパック。
【請求項２】
上記窪み部のチューブ入り包装商品のキャップ頂部が当る部分に、縦長の突き出し部を形成し、この縦長の突き出し部の下端に小縁部を形成したことを特徴とする請求項１に記載のブリスタパック。
【請求項３】
重ね合わされる上記ブリスタパックの、上記小窪みの少なくとも一個の位置をずらせて、密着重ね合わせ状態にならないようにしたことを特徴とする請求項１または２に記載のブリスタパック。
【考案の詳細な説明】
【技術分野】
【０００１】
この考案は、チューブ入り包装商品を包装するブリスタパックに関する。
【背景技術】
【０００２】
ブリスタパックの先行技術として幾つかあるが、今回考案者らが提案するブリスタパックに最も近いものとして、特公平７−０６６７８６号を挙げることができ、上記先行技術は、その特許請求の範囲に記載の通り「台紙と、この台紙の下辺に沿って底辺部を位置させ、縁部を前記台紙上に貼付け、かつ底辺部は台紙に固定されていなく、台紙下辺との間に切り目が設けられている透明な合成樹脂からなるブリスタとの間の空間に電池を収容したパック電池」のように構成するものである。
【考案の開示】
【考案が解決しようとする課題】
【０００３】
上記先行技術のブリスタパックは、乾電池用のもので被包装商品は、それほど大きくなく、また長くないので包装した状態で結構しっかりしたものである。しかし、チューブ入り化粧品やチューブ入り歯磨きなどでは、被包装商品が大きくなり、長くなってブリスタ全体の強度が不足し、包装したチューブ入り包装商品の収まりが悪く、包装状態で立てたとき不安定である。この考案は上記状況に鑑み、包装強度の大きいブリスタパックを提供することを課題とする。
【課題を解決するための手段】
【０００４】
上記課題を解決するためにこの考案は、台紙と、プラスチックシートを真空成形によって形成された窪み部と周縁部とからなり、上記窪み部にチューブ入り包装商品を収容し、上記台紙と上記周縁部とを一体にしてなるブリスタパックにおいて、窪み部の長手方向周縁側のそれぞれに少なくとも二個の小窪みを上記窪み部に連続して形成したものであり、より大きい強度を必要とするときは、上記窪み部のチューブ入り包装商品のキャップ頂部が当る部分に、縦長の突き出し部を形成し、この縦長の突き出し部の下端に小縁部を形成したものである。
【考案の効果】
【０００５】
上記の如く構成するこの考案によれば、窪み部の長手方向周縁側に少なくとも二個の小窪みを上記窪み部に連続して形成し、さらに、チューブ入り包装商品のキャップ頂部が当る部分に、縦長の突き出し部を形成することによりブリスタ形成部の強度が大きくなり被包装商品の収まりを良好にして変形を防止することができ、ブリスタパックを立てたときの安定性が向上する。また、上記縦長の突き出し部の下端に小縁部を形成することにより、その小縁部が台紙に対して接着可能になり補強効果が得られる。
【０００６】
なお、上記の如く強度面での改良をしたブリスタパックを重ね合わせて積み上げたとき、窪み部と小窪みの全てが完全に嵌り合ってしまい包装工程で個々のブリスタを取り出し難くなるが、上記のように小窪みをずらせることにより個々のブリスタを取り出し易くなる。
【考案を実施するための最良の形態】
【０００７】
次にこの考案の実施の形態を、図面を参照しながら説明する。なお、図１は本考案に係るブリスタパックの斜視図、図２は同平面図、図３は正面図、図４はチューブ入り包装商品を包装した状態の斜視図である。
【０００８】
透明なプラスチックシートを材料として真空成型によりブリスタＢを成形する。このブリスタＢは、例えばチューブ入り包装商品１７を収容する窪み部１２と、その裾の周縁部１３とからなっており、窪み部１２と周縁部１３の長手部分との境目にそれぞれ二個ずつ小窪み１４が、上記窪み部１２に連続して形成されている。
【０００９】
また、チューブ入り包装商品１７のキャップ頂部が当る窪み部１２には、縦長の突き出し部１５が窪み部に連続して形成されていて、窪み部全体は、チューブ入り包装商品１７に合わせてキャップ部を収容する部分は深く、末端になるに従って浅くなっている。なお、上記突き出し部１５が逆台形になっているのは、真空成形後の型抜きを容易にすることと、重ねたブリスタを取り出しやすくするためのものである。さらに、突き出し部１５の下端には台紙１１に貼り付く小縁部１３ａが形成されて包装後の補強効果を発するとともに、キャップを下にして包装体を立てたときの安定性が向上する。
【００１０】
１１は台紙で、１６は、例えば接着されて一体になったブリスタＢと台紙１１とを引き剥がすときのリップである。
【００１１】
上記ブリスタパック１０でチューブ入り包装商品を包装するときは、商品をブリスタＢの窪み部１２に収容し、台紙１１を宛がって加熱することにより、予め台紙１１にコーティングされていた熱溶融製樹脂層が溶解しブリスタＢと台紙１１が一体化される。なお、上記一体化する手段は、他の一般的な他の手法を採用することができる。
【００１２】
図５は、重ねて積み上げたブリスタＢを一個ずつ取り易くしたもので、窪み部１２と周縁部１３との間に形成する小窪み１４ａ，１４ｂ，１４ｃ，１４ｄを順番に少し宛位置を変えて成形する。図５では１４ａが位置を変えているが次のものは１４ｂが、さらに次は１４ｃが、１４ｄが順番に位置を変える。一個宛変えるのではなく１４ａと１４ｄとが、次は１４ｂと１４ｃとが変わるようにすることもできる。
【００１３】
このように順番に小窪みを変えることにより重ねられた個々のブリスタＢは互いに浮き上がった状態になり包装工程でブリスタを一個宛取り出しやすくなる。
【産業上の利用可能性】
【００１４】
以上説明したようにこの考案によれば、窪み部の長手方向周縁側に少なくとも二個の小窪みを上記窪み部に連続して形成し、さらに、チューブ入り包装商品のキャップ頂部が当る部分に、突き出し部を形成することによりブリスタ形成部の強度が大きくなり、包装した商品を十分保護でき、良好な状態で顧客に商品を届けることができる。また、小窪みを少しずつずらせることにより包装工程でのブリスタの取り扱いが容易になり、さらに、突き出し部１５の下端には台紙１１に貼り付く小縁部１３ａが形成されて包装後の補強効果を発するとともに、キャップを下にして包装体を立てたときの安定性が向上する。
【図面の簡単な説明】
【００１５】
【図１】本考案に係るブリスタパックの斜視図
【図２】同平面図
【図３】同正面図
【図４】チューブ入り包装商品を包装した状態の斜視図
【図５】小窪みの位置を変えて積み上げた状態から取り出し易くしたブリスタの平面図
【符号の説明】
【００１６】
１０  ブリスタパック
１１  台紙
１２  窪み部
１３  周縁部
１３ａ  小縁部
１４  小窪み
１４ａ，１４ｂ，１４ｃ，１４ｄ  位置が変わる小窪み
１５  突き出し部
１６  リップ
１７  チューブ入り包装商品
Ｂ  ブリスタ
【図１】
0003110628.tif 000003
【図２】
0003110628.tif 000004
【図３】
0003110628.tif 000005
【図４】
0003110628.tif 000006
【図５】
0003110628.tif 000007